(57)【要約】【課題】  洗濯物の乾燥運転を長時間実施可能な除湿機を提供する。【解決手段】  ドレンタンク１５内の水位が半分位置を超えたかを下ＡＭＲセンサ８３で検知し、ドレンタンク１５の水位が満水状態になったかを上ＡＭＥセンサ７２で検知する構成にして、下ＡＭＲセンサ８３で磁界が検知できなくなったら排水促進ランプ３０ａを点灯させると共に報知部７８から所定の報知音を鳴らすので、除湿機１により洗濯物をユーザーが乾燥させる運転を実施するとき、運転開始時点でドレンタンク１５の水位が半分を超えていたら報知されることで、ユーザーがドレンタンク１５内の排水を捨てる作業を促すことができるため、運転の途中でドレンタンク１５が満水となり運転が中断されることがなく、洗濯物の乾燥運転を長時間継続して実施することができるので、機器の使い勝手が向上する。【選択図】  図９
2019214009.tif 000002
【特許請求の範囲】
【請求項１】
発生したドレン水を溜めるドレンタンクと、
当該ドレンタンク内の水位に応じて上下に移動する浮きと、
前記浮きに設けられたマグネットと、
当該マグネットの磁界を検知するＡＭＲ（Anisotropic-Magneto-Resistance）センサと、
当該ＡＭＲセンサでの検知結果に基づき所定の報知をする報知手段と、
前記ＡＭＲセンサの検知結果に基づき前記タンクの水位を判断し前記報知手段で報知する制御部と、を備え、
前記ＡＭＲセンサは、前記浮きに設けられたマグネットの磁界を検知する上ＡＭＲセンサと、当該上ＡＭＲセンサより下方に位置し前記浮きに設けられたマグネットの磁界を検知する下ＡＭＲセンサとに分かれて設置され、
前記上ＡＭＲセンサの磁界検知範囲の方が前記下ＡＭＲセンサの磁界検知範囲よりも大きく、前記上ＡＭＲセンサの磁界検知範囲と前記下ＡＭＲセンサの磁界検知範囲とが少なくとも一部で重複するよう構成し、
前記制御部は、前記下ＡＭＲセンサにより磁界が検知できなくなったら、前記ドレンタンクが満水状態に近くなったことを前記報知手段により報知し、前記上ＡＭＲセンサにより磁界が検知できなくなったら、前記ドレンタンクが満水状態であることを前記報知手段により報知することを特徴とする除湿機。
【請求項２】
圧縮機、凝縮器、減圧装置、蒸発器、アキュムレータ内を順次冷媒が流動する冷凍装置と、
吹出口付近にあり空気を加熱する加熱ヒータと、を備え、
前記制御部は、前記上ＡＭＲセンサが磁界を検知できなくなったら、前記圧縮機を停止させると共に前記加熱ヒータをＯＮ状態に切り替えることを特徴とする請求項１記載の除湿機。
【発明の詳細な説明】
【技術分野】
【０００１】
この発明は、ドレンタンクに溜まった排水の水位を検知する除湿機に関するものである。
【背景技術】
【０００２】
従来、この種のものでは、ドレンタンク内に水位に応じて上下動する浮きにマグネットを設置し、当該マグネットの磁界を検知するＡＭＲセンサを前記マグネットと対向する位置に備えた除湿機があり、前記ドレンタンク内が通常水位のときは前記ＡＭＲセンサが前記マグネットの磁界を検知し続けて通常状態であると制御部が判断し、前記ドレンタンク内が満水状態のときは前記ＡＭＲセンサが前記マグネットの磁界を検知できず前記ドレンタンクが満水状態であると制御部が判断し、報知手段によりユーザーに対して前記ドレンタンク内が満水状態であり水を捨てる必要があることを報知していた。（例えば、特許文献１）
【先行技術文献】
【特許文献】
【０００３】
【特許文献１】特開２０１７−１３６５８０号公報
【発明の概要】
【発明が解決しようとする課題】
【０００４】
しかし、この従来のものでは、ドレンタンクが満水状態かを判断するためのＡＭＲセンサが１つしか設置されていないことから、仮に機器の運転開始時点でドレンタンク内の水位が満水状態に近いがＡＭＲセンサで磁界を検知することができ、満水状態の報知には至らない場合、機器の運転開始から間もなくＡＭＲセンサにより磁界の検知ができなくなり、満水状態の報知がなされてユーザーがドレンタンク内のドレン水を捨てる必要が生じることから、機器を継続して長時間使用することができないため、使い勝手が悪い問題がある。
【０００５】
また、夜間に室内で洗濯物を干した状態で機器を運転させ洗濯物を乾燥させる場合、運転開始から間もなく報知手段により満水状態が報知されても、洗濯物を干している部屋がユーザーの居住するエリアと離れていることで報知に気づかず、ユーザーがドレンタンク内のドレン水を捨てて運転再開させる対処をしないことで、朝まで機器の運転が停止したままとなって洗濯物が乾かない状況が考えられることから、改善の余地があった。
【課題を解決するための手段】
【０００６】
上記課題を解決するために、本発明の請求項１では、発生したドレン水を溜めるドレンタンクと、
当該ドレンタンク内の水位に応じて上下に移動する浮きと、
前記浮きに設けられたマグネットと、
当該マグネットの磁界を検知するＡＭＲ（Anisotropic-Magneto-Resistance）センサと、
当該ＡＭＲセンサでの検知結果に基づき所定の報知をする報知手段と、
前記ＡＭＲセンサの検知結果に基づき前記タンクの水位を判断し前記報知手段で報知する制御部と、を備え、
前記ＡＭＲセンサは、前記浮きに設けられたマグネットの磁界を検知する上ＡＭＲセンサと、当該上ＡＭＲセンサより下方に位置し前記浮きに設けられたマグネットの磁界を検知する下ＡＭＲセンサとに分かれて設置され、
前記上ＡＭＲセンサの磁界検知範囲の方が前記下ＡＭＲセンサの磁界検知範囲よりも大きく、前記上ＡＭＲセンサの磁界検知範囲と前記下ＡＭＲセンサの磁界検知範囲とが少なくとも一部で重複するよう構成し、
前記制御部は、前記下ＡＭＲセンサにより磁界が検知できなくなったら、前記ドレンタンクが満水状態に近くなったことを前記報知手段により報知し、前記上ＡＭＲセンサにより磁界が検知できなくなったら、前記ドレンタンクが満水状態であることを前記報知手段により報知することを特徴としている。
【０００７】
また、請求項２では、圧縮機、凝縮器、減圧装置、蒸発器、アキュムレータ内を順次冷媒が流動する冷凍装置と、
吹出口付近にあり空気を加熱する加熱ヒータと、を備え、
前記制御部は、前記上ＡＭＲセンサが磁界を検知できなくなったら、前記圧縮機を停止させると共に前記加熱ヒータをＯＮ状態に切り替えることを特徴としている。
【発明の効果】
【０００８】
この発明によれば、ＡＭＲセンサは、浮きに設けられたマグネットの磁界を検知する上ＡＭＲセンサと、当該上ＡＭＲセンサより下方に位置し浮きに設けられたマグネットの磁界を検知する下ＡＭＲセンサとに分かれて設置され、上ＡＭＲセンサの磁界検知範囲の方が下ＡＭＲセンサの磁界検知範囲よりも大きく、上ＡＭＲセンサの磁界検知範囲と下ＡＭＲセンサの磁界検知範囲とが少なくとも一部で重複するよう構成し、下ＡＭＲセンサが磁界を検知できなくなったら、ドレンタンクが満水状態に近くなったことを報知手段により報知し、上ＡＭＲセンサが磁界を検知できなくなったら、ドレンタンクが満水状態であることを報知手段により報知するので、機器の運転開始持にドレンタンクが満水状態に近い場合、下ＡＭＲセンサによりドレンタンクが満水状態に近いことが報知されることでドレンタンクの状態をユーザーが把握し、ドレンタンク内の水を捨てる動作が促されるため、運転開始から短時間で機器が運転停止することでの使い勝手の低下や、夜に洗濯物を干した場合に運転開始から短時間で機器が運転停止し、朝に洗濯物が乾かないことを未然に防止することができる。
【０００９】
また、上ＡＭＲセンサの磁界検知範囲の方が下ＡＭＲセンサの磁界検知範囲よりも大きいので、上ＡＭＲセンサは、満水状態を検知するまでの余裕範囲が大きいことで、ドレンタンクの上限水位近くまでドレン水が流入可能であることから、満水状態の報知に至るまでの時間的な余裕が大きくなり、機器の運転継続時間を長期化することで洗濯物の乾燥を長時間継続して実施することができ、また、下ＡＭＲセンサは、満水状態が近いことを検知するまでの余裕範囲が上ＡＭＲセンサよりも小さいことで、ドレンタンク内が満水状態に近いことを早期に報知し、ユーザーにドレンタンク内のドレン水を排水することを促すことができるため、洗濯物の乾燥を長時間継続して実施することができる。
【００１０】
また、上ＡＭＲセンサが磁界を検知できなくなったら、圧縮機を停止させると共に加熱ヒータをＯＮ状態に切り替えるので、ドレンタンク内が満水状態に至る前に圧縮機を停止させることでドレンタンクの水位上昇を抑えると共に、加熱ヒータを駆動させることで吹出口から温風を吹き出し、洗濯物を継続して乾燥させることができるため、夜に洗濯物を干して機器を運転させた後にドレンタンクが満水状態になっても、継続して洗濯物の乾燥を実施することができる。
【図面の簡単な説明】
【００１１】
【図１】この発明の一実施形態の外観を説明する斜視図
【図２】同実施形態の分解斜視図
【図３】同実施形態の縦方向の断面図
【図４】同実施形態の制御ブロック図
【図５】ドレンタンクを上方から見た斜視図。
【図６】ドレンタンクの内側から見た浮きが収容された浮き収容部を特に示す図であり、（Ａ）は浮き収容部の縦断面図、（Ｂ）は浮きが挿入された場合の浮き収容部を示すドレンタンクの縦断面図、（Ｃ）は図６（Ｂ）の浮きが上昇した場合のドレンタンクの縦断面図。
【図７】同実施形態の満水検知ユニットを説明する部分拡大断面図
【図８】（Ａ）は浮きの表面から見た外観斜視図、（Ｂ）は浮きの裏面から見た外観斜視図、（Ｃ）は浮きの縦断面図
【図９】同実施形態の上ＡＭＲセンサと下ＡＭＲセンサの磁界検知範囲を説明する図
【図１０】同実施形態の運転状態を説明するタイミングチャート
【図１１】同実施形態のドレンタンクの水位が半分を超えた状態を説明する図
【図１２】同実施形態のドレンタンクの水位が満水状態を説明する図
【図１３】同実施形態の操作部を説明する図
【発明を実施するための形態】
【００１２】
本発明に係る空気調和機の一実施形態を添付図面に基づいて説明する。本実施形態にお
いては、本発明の空気調和機を、蒸気圧縮式冷凍サイクルを利用し空気中に含まれる水分
を結露させて除湿する除湿機に適用して説明する。
【００１３】
除湿機１は、除湿機１の外観を構成する右枠２と、左枠３と、化粧板４と、ベース５と
を有している。右枠２と左枠３とが嵌まり合った上端部分は、取手１０を形成する。右枠
２は、複数のスリットを有する吸込口１１を有している。吸込口１１は、外側表面１２側
にフィルタ１３と、フィルタケース１４とを有している。フィルタ１３は、樹脂製の網や
不織布などからなり、吸入空気に混入する塵埃や臭い成分などを取り除く。フィルタケー
ス１４は、フィルタ１３を吸込口１１に取り付ける。また、右枠２は、ドレンタンク１５
が着脱されるタンク挿入口１６を吸込口１１下部に有している。
【００１４】
左枠３は、複数のスリットを有する吹出口２０を上部に有している。吹出口２０は、乾
燥空気の吹出方向を斜め上方向から水平方向に制御可能な風向板２１を有している。風向
板２１は、風向板モータ２２により駆動される。
【００１５】
化粧板４は、上方に操作部２５を有している。操作部２５は、図２に示すように、化粧
板４の上面２６と、操作部ケース２７と、操作ユニット２８とで構成されている。操作部
２５は、例えば、運転スイッチ、タイマースイッチ、運転モード選択スイッチなどのスイ
ッチ類２９と、運転ランプなどのランプ類３０とを有している。
【００１６】
除湿機１は、主な内部部品として、シロッコファン３１と、ファンモータ３２と、冷凍
装置と、ドレンタンク１５と、コントロールユニット３４と、満水検知機構とを有してい
る。
【００１７】
シロッコファン３１は、ファンモータ３２の回転軸と同軸状に回転中心が固定されてい
る。シロッコファン３１は、吸込口１１から空気を吸い込み、吹出口２０から吹き出す風
路を形成する。シロッコファン３１およびファンモータ３２は、ファンケース３６に取り
付けられている。
【００１８】
冷凍装置は、冷媒が流れる順に、圧縮機４０と、凝縮器４１と、減圧装置４２と、蒸発
器４３と、アキュムレータ４４とを有している。冷媒は、蒸発器４３を流れる際に蒸発器
４３の外側を通過する空気から熱を奪い蒸発する。これにより、蒸発器４３の表面は露点
温度以下に冷却され、そこを通過する空気中の水分が蒸発器４３の表面に結露する。この
原理により、除湿機１が空気中から水分を除去して除湿する。
【００１９】
圧縮機４０は、ベース５上に固定されており、配管４５を介して蒸発器４３および凝縮
器４１に接続されている。蒸発器４３および凝縮器４１は、第１熱交換器４８と第２熱交
換器４９とでそれぞれ構成されている。第１熱交換器４８と第２熱交換器４９とは、それ
ぞれフィンチューブ型の熱交換器であり、同一風路内に上流側から第１熱交換器４８、第
２熱交換器４９の順に配置されている。蒸発器４３および凝縮器４１は、ファンケース３
６におけるシロッコファン３１が固定された面と逆の面にドレンパン５０を介して固定さ
れている。ドレンパン５０は、蒸発器４３で発生した結露水を受け、排水口５１からドレ
ンタンク１５へ結露水を導く。
【００２０】
以上の構成により、吸込口１１から吸込まれた空気は、フィルタ１３で塵埃や臭い成分
などが取り除かれた後、蒸発器４３で水分が除去され、さらに凝縮器４１を通過し、シロ
ッコファン３１によって吹出口２０から吹き出される。
【００２１】
ドレンタンク（タンク）１５は、ドレンパン５０の排水口５１から排水される、発生し
たドレン水を溜める。ドレンタンク１５は、タンク挿入口１６を介してファンケース３６
に対して水平方向のスライドにより着脱される。ドレンタンク１５は、ファンケース３６
により形成されたタンク室５２（図３）に装着される。
【００２２】
ドレンタンク１５はタンク蓋５３を有し、排水口５１からの結露水はタンク蓋５３より
ドレンタンク１５内に落下する。ドレンタンク１５は、鉛直下向き方向を挿入方向として
挿入される浮き８０を収容する浮き収容部５４を有する。
【００２３】
ここで、図５は、ドレンタンク１５を上方から見た斜視図である。
【００２４】
図６は、ドレンタンク１５の内側から見た浮き８０が収容された浮き収容部５４を特に
示す図であり、（Ａ）は浮き収容部５４の縦断面図、（Ｂ）は浮き８０が挿入された場合
の浮き収容部５４を示すドレンタンク１５の縦断面図、（Ｃ）は（Ｂ）の浮き８０が上昇
した場合のドレンタンク１５の縦断面図である。
【００２５】
浮き収容部５４は、ドレンタンク１５装着方向における奥側であって、後述する上ＡＭＲセンサ８２及び下ＡＭＲセンサ８３と対向する位置に設けられる。浮き収容部５４は、スリット５５と、挿入ガイド５６と、立ち上がり部５７と、抜け防止ピン５８とを有する。スリット５５は、浮き収容部上端６０から下端６１まで縦方向に設けられ、ドレンタンク１５内のドレン水を浮き収容部５４に浸入させる。また、スリット５５は、浮き８０の挿入方向に突起８７を案内する。挿入ガイド５６は、浮き収容部５４の側面６２より立ち上がって形成される。挿入ガイド５６は、左右両側面６２側から浮き８０側への立ち上がり高さが変化する。これにより、浮き収容部５４に対する浮き８０の挿入方向手前側から奥側に向って幅広領域６３と幅狭領域６４（図６（Ｃ））とが浮き８０が収容される空間に形成される。
【００２６】
立ち上がり部５７は、浮き収容部５４の底面６５およびスリット５５の端部より浮き収
容部５４の内側に向けて垂直に立ち上がった２本の部材である。挿入ガイド５６および立
ち上がり部５７は、挿入された浮き８０と線接触し浮き８０を支持することにより、浮き
収容部５４の側面６２や底面６５と浮き８０とが面接触し表面張力により張り付いてしま
うことを防止する。抜け防止ピン５８は、浮き収容部５４の上端に着脱可能に設けられ、
浮き８０が浮き収容部５４から抜け落ちることがないように浮き８０を支持する。
【００２７】
図４に示すコントロールユニット３４（制御部）は、スイッチ類２９からの指示に基づ
いてファンモータ３２や圧縮機４０などを電気的に制御することにより、除湿機１の動作
を制御する。
【００２８】
コントロールユニット３４は、記憶部７０およびタイマ７１を有している。記憶部７０
は、スイッチ類２９より受け付けた指示に基づいて実行される、ファンモータ３２や圧縮
機４０、ランプ類３０の動作プログラムなどを記憶する。タイマ７１は、除湿機１のタイ
マ運転などのための計時を行う。温度センサ７５および湿度センサ７６は、除湿機１の周
囲温度および湿度を計測し、コントロールユニット３４は必要に応じて得られた値を制御
に使用する。
【００２９】
温度センサ７５、湿度センサ７６、及び加熱ヒータ７９は、例えば吸込口１１付近に設けられる。報知手段としての報知部７８は、コントロールユニット３４の指示に基づいてユーザーに状況を知らせるためのアラームを報知する。加熱ヒータ７９は、除湿機１本体の吹出口２０の下方に設けられ、コントロールユニット３４の指示に基づいてＯＮ／ＯＦＦ状態を切り替えることで、吹出口２０から吹き出す風の温度を変化させる。
【００３０】
満水検知ユニットは、浮き８０と、浮き８０に設けられたマグネット８１と、マグネッ
ト８１の磁界を検知する上ＡＭＲセンサ８２と、下ＡＭＲセンサ８３とを有しており、ＡＭＲセンサ（Anisotropic-Magneto-Resistance、異方性磁気抵抗センサ）は、所定位置に信号処理回路などと共に実装されている。
【００３１】
図７は、満水検知ユニットを特に説明する除湿機１の縦断面図である。
【００３２】
図８（Ａ）は浮き８０の表面８８から見た外観斜視図、（Ｂ）は浮き８０の裏面８６か
ら見た外観斜視図、（Ｃ）は浮き８０の縦断面図である。
【００３３】
浮き８０は、ドレンタンク１５の浮き収容部５４に収容され、ドレンタンク１５内の水
位に応じて上下動する。浮き８０は、縦長の直方体であり、発泡ポリスチレンなどの浮力
を有する材料で形成されている。浮き８０は、上端部に幅を大きくする幅広部８５を有す
る。図８（Ａ）に示す幅広部８５の幅Ｗ１は、図６（Ｃ）に示すように、浮き収容部５４
内に形成される幅狭領域６４の幅よりも大きく、かつ幅広領域６３の幅よりも小さい。こ
れに対し、幅広部８５以外の浮き８０の幅Ｗ２は、幅狭領域６４の幅よりも小さい。なお
、幅広部８５（幅広領域６３）の挿入方向（図７におけるＸ軸方向）長さは特に限定され
ず、本実施形態で図示するよりも長くても短くてもよい。
【００３４】
浮き８０は、上ＡＭＲセンサ８２及び下ＡＭＲセンサ８３との対向面と反対の面である裏面８６に突起８７を有する。突起８７は、スリット５５に沿って浮き収容部５４に挿入可能な寸法を有する。突起８７の突出方向（Ｙ軸方向）は、幅広部８５の幅方向（Ｚ軸方向）と直交する方向である。
【００３５】
マグネット８１は、上ＡＭＲセンサ８２及び下ＡＭＲセンサ８３との対向面における水平方向（Ｚ軸方向）に着磁方向（Ｎ極、Ｓ極の位置は問わない）を有する、薄板状で縦長の直方体である。マグネット８１の寸法は、例えば、長さ１５ｍｍ×幅８ｍｍ×厚さ３ｍｍである。マグネット８１は、浮き８０の上ＡＭＲセンサ８２及び下ＡＭＲセンサ８３との対向面である表面８８に形成された凹部に、マグネット８１の幅方向中心が浮き８０の幅方向中心と一致するように嵌め込まれて配置されている。なお、浮き８０の幅Ｗ２は幅狭領域６４の幅よりも小さいため、浮き収容部５４内で浮き８０が幅方向に移動する。マグネット８１は、この場合であっても上ＡＭＲセンサ８２及び下ＡＭＲセンサ８３がマグネット８１の磁界を検知可能となるような寸法に設計されている。
【００３６】
上ＡＭＲセンサ８２及び下ＡＭＲセンサ８３は基板９０に実装され、マグネット８１の着磁方向に平行な、水平方向の磁界を検知するようにファンケース３６に取り付けられている。具体的には、上ＡＭＲセンサ８２及び下ＡＭＲセンサ８３は、ファンケース３６のタンク室５２とは逆面であってドレンタンク１５の浮き収容部５４（浮き８０、マグネット８１）に対応する位置に上ＡＭＲセンサ８２の方が下ＡＭＲセンサ８３よりもＸ軸方向で上方となるように設けられる。すなわち、マグネット８１と上ＡＭＲセンサ８２及び下ＡＭＲセンサ８３は、挿入方向と直交する方向（Ｙ軸方向）において対向している。
【００３７】
マグネット８１と上ＡＭＲセンサ８２との位置関係は、ドレンタンク１５の水位が規定の満水位置になるまで上ＡＭＲセンサ８２がマグネット８１の磁界を検知し（所定値以上の強さの磁界を検知し）、規定の満水位置を超えた場合に磁界を検知しない（所定値より小さい強さの磁界を検知する）ように規定されている。
【００３８】
また、マグネット８１と下ＡＭＲセンサ８３との位置関係は、ドレンタンク１５の水位が規定のドレンタンク１５の半分の水位位置を超えるまで下ＡＭＲセンサ８３がマグネット８１の磁界を検知し（所定値以上の強さの磁界を検知し）、規定のドレンタンク１５の半分の水位位置を超えた場合に磁界を検知しない（所定値より小さい強さの磁界を検知する）ように規定されている。
【００３９】
次に、本実施形態における満水検知ユニットの作用について説明する。
【００４０】
ドレンタンク１５がタンク室５２に装着されると、上ＡＭＲセンサ８２及び下ＡＭＲセンサ８３は、所定値以上の強さのマグネット８１の磁界を検知する。上ＡＭＲセンサ８２及び下ＡＭＲセンサ８３の検知結果は、コントロールユニット３４に送信され、コントロールユニット３４はドレンタンク１５が装着されたと判断する。
【００４１】
ドレン水の水位が上昇すると、スリット５５より浮き収容部５４にドレン水が浸入し、
浮き８０は浮力により徐々に上昇する。浮き８０の幅Ｗ２は、浮き収容部５４内の収容空
間において幅狭領域６４の幅よりも小さいため、幅方向に移動する恐れがある。しかし、
マグネット８１は、このような場合であっても上ＡＭＲセンサ８２及び下ＡＭＲセンサ８３が所定値以上の強さの磁界を検知できるような寸法に設計されている。このため、浮き８０の幅方向の移動が生じても検知精度は確保されている。
【００４２】
また、マグネット８１の形状は、浮き８０の移動（上下動）方向に沿った縦長の直方体
であり、着磁方向は上ＡＭＲセンサ８２及び下ＡＭＲセンサ８３との対向面における水平方向となっている。これにより、マグネット８１から発生する磁界はマグネット８１の上下動方向に広く磁束を発生させ、広い範囲で磁界の水平成分を上ＡＭＲセンサ８２及び下ＡＭＲセンサ８３に有効に作用させることができる。
【００４３】
次に、上ＡＭＲセンサ８２と下ＡＭＲセンサ８３の磁界検知範囲について説明する。
上ＡＭＲセンサ８２の磁束密度の検知範囲は１ｍＴまでであり、下ＡＭＲセンサ８３の磁束密度の検知範囲は２ｍＴまでであることから、上ＡＭＲセンサ８２の方が下ＡＭＲセンサ８３と比較し検知感度が良いものとなる。よって、図９中に破線で示すように、上ＡＭＲセンサ８２の磁界検知範囲Ｗｕの方が下ＡＭＲセンサ８３の磁界検知範囲Ｗｄよりも大きく（Ｗｕ＞Ｗｄ）、また、上ＡＭＲセンサ８２の磁界検知範囲Ｗｕと下ＡＭＲセンサ８３の磁界検知範囲Ｗｄとが一部で重複するように設置されている。
【００４４】
上ＡＭＲセンサ８２と下ＡＭＲセンサ８３の磁界検知範囲の重複について、好ましくは、下ＡＭＲセンサ８３の磁界検知範囲Ｗｄの上下方向（Ｘ軸方向）の中心にマグネット８１が位置しているとき、上ＡＭＲセンサ８２の磁界検知範囲Ｗｕの下端付近でマグネット８１の磁界を検知できる程度に上ＡＭＲセンサ８２の磁界検知範囲Ｗｕと下ＡＭＲセンサ８３の磁界検知範囲Ｗｄとを重複させるとよい。これにより、本発明の機能について上ＡＭＲセンサ８２と下ＡＭＲセンサ８３の検知感度が必要最小限なもので実現することができる。
【００４５】
これにより、ドレンタンク１５の水位が半分を超えないときは、上ＡＭＲセンサ８２と下ＡＭＲセンサ８３は共にマグネット８１の磁界を検知するのでＯＮ状態となり、ドレンタンク１５の水位が半分を超えたら、上ＡＭＲセンサ８２はＯＮ状態のままだが、下ＡＭＲセンサ８３はマグネット８１の磁界を検知できなくなるのでＯＦＦ状態に切り替わり、ドレンタンク１５の水位が満水位置まで達したら、上ＡＭＲセンサ８２と下ＡＭＲセンサ８３は共にマグネット８１の磁界を検知できなくなるのでＯＦＦ状態に切り替わる。
【００４６】
また、ドレンタンク１５の水位が半分を超えたとき、下ＡＭＲセンサ８３は上ＡＭＲセンサ８２と比較して早い段階でＯＦＦ状態に切り替わることから、早い段階でドレンタンク１５の水位が半分を超えたことを報知することができるため、ユーザーがドレンタンク１５の排水を早期に実施することを促し、洗濯物の乾燥運転が中断するのを防止することができる。
【００４７】
また、ドレンタンク１５の水位が満水状態になったとき、上ＡＭＲセンサ８２は下ＡＭＲセンサ８３と比較して遅い段階でＯＦＦ状態に切り替わることから、ドレンタンク１５からドレン水が漏れ出さない上限水位近くまでドレン水を溜めることができるため、洗濯物の乾燥運転を長時間継続して実施することができる。
【００４８】
また、上ＡＭＲセンサ８２と下ＡＭＲセンサ８３とは互いの磁界検知範囲が一部で重複するように設置されていることから、互いに近接した位置に設置することが可能であるため、マグネット８１を装着した浮き８０の上下方向（Ｘ軸方向）の移動距離を大きくせずともドレンタンク１５の水位が半分を超えた状態の検知と満水状態の検知が可能であり、ドレンタンク１５のサイズを大きくなることで除湿機１が大型化し、機器の設置スペースが増大するのを防止することができる。
【００４９】
次に、除湿機１の運転時における具体的な動作内容について説明する。
まず、操作部２５にあるスイッチ類２９から運転開始指示をするスイッチが操作されると、圧縮機４０が所定の回転数で駆動することで冷凍装置内を冷媒が循環し、蒸発器４３による室内空気の除湿が実施される。そして、機器の運転により室内の除湿や吹出口２０の前に設置された洗濯物の乾燥が実施され、ドレンタンク１５内に蒸発器４３から滴下したドレン水が溜まっていく。
【００５０】
そして、時間経過に伴い室内の除湿や洗濯物の乾燥が進行し、ドレンタンク１５内の水位がドレンタンク１５の半分位置を超えると、浮き８０が上昇して図１１で示すように下ＡＭＲセンサ８３の磁界検知範囲外にマグネット８１が位置する。よって、下ＡＭＲセンサ８３で磁界が検知できなくなるため、下ＡＭＲセンサ８３はＯＦＦ状態に切り替わる。
【００５１】
これにより、図１０の（１）で示すように、コントロールユニット３４は、操作部２５のランプ類３０に形成された報知手段としての排水促進ランプ３０ａを点灯させ、報知部７８から所定の報知音を鳴らす。これにより、ドレンタンク１５の水位がドレンタンク１５の半分位置まで達しており、ドレンタンク１５内のドレン水を排水する必要が生じていることをユーザーに報知し、ドレンタンク１５内に溜まったドレン水の排水作業をユーザーに促すことができる。
【００５２】
その後、ドレンタンク１５内のドレン水が排水されることなく除湿機１の運転が継続されドレンタンク１５の水位が上昇して満水位置近くになると、浮き８０が上昇して図１２で示すように上ＡＭＲセンサ８２の磁界検知範囲外にマグネット８１が位置する。よって、上ＡＭＲセンサ８２で磁界が検知できなくなるため、上ＡＭＲセンサ８２はＯＦＦ状態に切り替わる。
【００５３】
これにより、図１０の（２）で示すように、コントロールユニット３４は、操作部２５のランプ類３０に形成された報知手段としての満水ランプ３０ｂを点灯させ、圧縮機４０を停止させると共に加熱ヒータ７９をＯＮ状態に切り替え、報知部７８から所定の報知音を鳴らす。これにより、ドレンタンク１５内が満水状態でありドレン水を排水する必要があることをユーザーに知らせることができ、圧縮機４０を停止させることでドレンタンク１５内にドレン水が溜まり続けることを防止することができ、ドレンタンク１５からドレン水が漏れ出すことを阻止することができる。
【００５４】
また、仮にドレンタンク１５内のドレン水が排水されなかったとしても、加熱ヒータ７９がＯＮ状態に切り替わることで吹出口２０から温風が吹き出し、洗濯物の乾燥運転を継続することができるため、夜に洗濯物を干して機器を運転させ、深夜時間中に洗濯物を乾燥させる場合、運転中にドレンタンク１５が満水状態となっても加熱ヒータ７９がＯＮ状態に切り替わることで洗濯物の乾燥が可能となるため、朝まで洗濯物を継続して乾燥させることができる。
【００５５】
なお、上ＡＭＲセンサ８２がＯＦＦ状態に切り替わり、圧縮機４０が停止し加熱ヒータ７９がＯＮ状態に切り替わったタイミングで、ファンモータ３２の回転数を上昇させてもよい。これにより、加熱ヒータ７９により加熱された温風を大量に乾燥対象の洗濯物に当てることができるため、夜干しした洗濯物について朝まで効率よく継続して乾燥させることができる。
【００５６】
以上のように、ドレンタンク１５内の水位が半分位置を超えたかを下ＡＭＲセンサ８３で検知し、ドレンタンク１５の水位が満水状態になったかを上ＡＭＥセンサ７２で検知する構成にして、下ＡＭＲセンサ８３で磁界が検知できなくなったら排水促進ランプ３０ａを点灯させると共に報知部７８から所定の報知音を鳴らすので、除湿機１により洗濯物をユーザーが乾燥させる運転を実施するとき、運転開始時点でドレンタンク１５の水位が半分を超えていたら報知されることで、ユーザーがドレンタンク１５内の排水を捨てる作業を促すことができるため、運転の途中でドレンタンク１５が満水となり運転が中断されることがなく、洗濯物の乾燥運転を長時間継続して実施することができるので、機器の使い勝手が向上する。
【００５７】
また、上ＡＭＲセンサ８２の磁界検知範囲の方が下ＡＭＲセンサ８３の磁界検知範囲よりも大きいことから、上ＡＭＲセンサ８２がＯＦＦ状態に切り替わるまでの水位変化の幅について下ＡＭＲセンサ８３がＯＦＦ状態に切り替わるまでの水位変化の幅よりも大きいため、上ＡＭＲセンサ８２がＯＦＦ状態に切り替わることでドレンタンク１５の満水状態を検知するまでの時間が下ＡＭＲセンサ８３よりも長くなり、ドレンタンク１５の上限水位近くまでドレン水を溜めることができることから、洗濯物の乾燥運転を長時間継続して実施することができるので、機器の使い勝手が向上する。
【００５８】
また、下ＡＭＲセンサ８３の磁界検知範囲の方が上ＡＭＲセンサ８２の磁界検知範囲より小さいことから、下ＡＭＲセンサ８３がＯＦＦ状態に切り替わるまでの水位変化の幅について上ＡＭＲセンサ８２がＯＦＦ状態に切り替わるまでの水位変化の幅より小さいため、下ＡＭＲセンサ８３がＯＦＦ状態に切り替わることでドレンタンク１５の半分の水位を超えたことを報知するまでの時間が上ＡＭＲセンサ８２よりも短くなり、早期にドレンタンク１５の水位が半分位置を超えたことを報知することができ、ユーザーに対してドレンタンク１５内のドレン水の排水を早期に促すことができる。
【００５９】
また、上ＡＭＲセンサ８２がＯＦＦ状態に切り替わることで満水状態を検知して圧縮機４０を停止させた後、加熱ヒータ７９をＯＮ状態に切り替えて吹出口２０から温風を吹き出すので、洗濯物を夜干しして除湿機１により洗濯物の乾燥運転を実施するとき、運転の途中でドレンタンク１５が満水状態になっても継続して洗濯物の乾燥運転を実施することができるため、夜干しした洗濯物を継続して乾燥させることができる。
【００６０】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６１】
１    除湿機
１５    ドレンタンク
３０ａ  排水促進ランプ（報知手段）
３０ｂ  満水ランプ（報知手段）
４０    圧縮機
４１    凝縮器
４２    減圧装置
４３    蒸発器
４４    アキュムレータ
７８    報知部（報知手段）
７９    加熱ヒータ
８０    浮き
８１    マグネット
８２    上ＡＭＲセンサ
８３    下ＡＭＲセンサ
【図１】
2019214009.tif 000003
【図２】
2019214009.tif 000004
【図３】
2019214009.tif 000005
【図４】
2019214009.tif 000006
【図５】
2019214009.tif 000007
【図６】
2019214009.tif 000008
【図７】
2019214009.tif 000009
【図８】
2019214009.tif 000010
【図９】
2019214009.tif 000011
【図１０】
2019214009.tif 000012
【図１１】
2019214009.tif 000013
【図１２】
2019214009.tif 000014
【図１３】
2019214009.tif 000015